(57)【要約】  分岐コネクタ（１０１）は、分岐コネクタ対応通信機器（１０２）に接続される分岐前ポート（１０３）と、分岐コネクタ対応通信機器（１２０）に接続される第１の分岐後ポート（１０７）と、分岐コネクタ対応通信機器（１２１）に接続される第２の分岐後ポート（１０８）と、分岐前ポート（１０３）の第１チャンネル用の端子（１０３ａ）と、第１の分岐後ポート（１０７）の通常使用する端子とを接続する第１チャンネル配線（１０４）と、分岐前ポート（１０３）の第２チャンネル用の端子（１０３ｂ）と、第２の分岐後ポート（１０８）の通常使用する端子とを接続する第２チャンネル配線（１０５）と、第１の分岐後ポート（１０７）の通常不使用の端子と、第２の分岐後ポート（１０８）の通常不使用の端子とを接続するリピート配線（１０６）とを有する。
2016071994.tif 000002
【特許請求の範囲】
【請求項１】
通信ポート内の通常使用する端子と通常不使用の端子との両方を用いて第１チャンネル及び第２チャンネルの２ポート分の情報を送受信する二重通信機能を有する第１の分岐コネクタ対応通信機器に接続される分岐前ポートと、
前記二重通信機能を有する第２の分岐コネクタ対応通信機器に接続される第１の分岐後ポートと、
前記二重通信機能を有する第３の分岐コネクタ対応通信機器に接続される第２の分岐後ポートと、
前記分岐前ポートの前記第１チャンネル用の端子と、前記第１の分岐後ポートの通常使用する端子とを接続する第１チャンネル配線と、
前記分岐前ポートの前記第２チャンネル用の端子と、前記第２の分岐後ポートの通常使用する端子とを接続する第２チャンネル配線と、
前記第１の分岐後ポートの通常不使用の端子と、前記第２の分岐後ポートの通常不使用の端子とを接続するリピート配線とを有することを特徴とする分岐コネクタ。
【請求項２】
通信ポート内の通常使用する端子と通常不使用の端子との両方を用いて第１チャンネル及び第２チャンネルの２ポート分の情報を送受信する二重通信機能を有する第１の分岐コネクタ対応通信機器に接続される分岐前ポートと、
前記二重通信機能を有する第２の分岐コネクタ対応通信機器に接続される第１の分岐後ポートと、
前記二重通信機能を有さない通信機器に接続される第２の分岐後ポートと、
前記分岐前ポートの前記第１チャンネル用の端子と、前記第１の分岐後ポートの通常使用する端子とを接続する第１チャンネル配線と、
前記第１の分岐後ポートの通常不使用の端子と、前記第２の分岐後ポートの通常使用する端子とを接続するリピート配線とを有することを特徴とする分岐コネクタ。
【請求項３】
通信ポート内の通常使用する端子と通常不使用の端子との両方を用いて第１チャンネル及び第２チャンネルの２ポート分の情報を送受信する二重通信機能を有する第１の分岐コネクタ対応通信機器に接続される分岐前ポートと、
前記二重通信機能を有する第２の分岐コネクタ対応通信機器に接続される第１の分岐後ポートと、
前記二重通信機能を有する第３の分岐コネクタ対応通信機器又は前記二重通信機能を有さない通信機器に接続される第２の分岐後ポートと、
前記分岐前ポート及び前記第１の分岐後ポートの端子に通じる配線を備え、前記第２の分岐後ポートに第１の向き又は第２の向きで装着可能な切替プラグとを有し、
前記配線は、前記切替プラグが前記第１の向きで前記第２の分岐後ポートに装着されると、前記分岐前ポートの前記第１チャンネル用の端子と前記第１の分岐後ポートの通常使用する端子とを接続する第１チャンネル配線と、前記分岐前ポートの前記第２チャンネル用の端子と前記第２の分岐後ポートの通常使用する端子とを接続する第２チャンネル配線と、前記第１の分岐後ポートの通常不使用の端子と前記第２の分岐後ポートの通常不使用の端子とを接続する第１のリピート配線とを形成し、
前記切替プラグが前記第２の向きで前記第２の分岐後ポートに装着されると、前記第１チャンネル配線と、前記第１の分岐後ポートの通常不使用の端子と前記第２の分岐後ポートの通常使用する端子とを接続する第２のリピート配線とを形成することを特徴とする分岐コネクタ。
【請求項４】
前記切替プラグは、該切替プラグを前記第１の向きで前記第２の分岐後ポートへ装着した時に前記第２の分岐後ポートの端子と導通する第１の端子と、前記切替プラグを前記第２の向きで前記第２の分岐後ポートへ装着した時に前記第２の分岐後ポートの端子と導通する第２の端子とを有し、
前記第１の端子と前記第２の端子とは背中合わせに配置されていることを特徴とする請求項３に記載の分岐コネクタ。
【発明の詳細な説明】
【技術分野】
【０００１】
本発明は、複数の通信機器をデイジーチェーン接続するために用いる分岐コネクタに関する。
【背景技術】
【０００２】
従来、複数の通信機器がデイジーチェーン接続されたシステムにおいては、終端局間を直接接続し、ループバックによる冗長性を確保していた。ループバックを実現するためには、デイジーチェーンの終端局同士を直接通信させるためのループバック用の回線を通信機器の内部に実装する必要があった（特許文献１参照）。【０００３】
また、Registered  jack  ＲＪ４５規格に準拠し、通信用ポートの通常不使用の端子を利用するための分岐及び集約機能を持つＲＪ４５分岐コネクタが知られている。ＲＪ４５分岐コネクタは、分岐前ポートの通常不使用の端子を活用することによって２ポート分の通信を可能にしており、１ポートから２ポートに分岐させることが可能である（特許文献２参照）。特許文献２に開示される分岐コネクタは、分岐前ポート一つに対し、二つの分岐後ポートを備えた構造である。
【先行技術文献】
【特許文献】
【０００４】
【特許文献１】特開２００６−３１４０９８号公報
【特許文献２】特開２０００−３３１７５８号公報
【発明の概要】
【発明が解決しようとする課題】
【０００５】
しかしながら、ＲＪ４５規格に準拠する従来の分岐コネクタでは、分岐前ポートにおいては全ての端子を活用しているが、二つの分岐後ポートでは通常のコネクタと同様に通常不使用の端子は未使用のままであり、分岐後ポートの通常不使用の端子を有効活用できているとは言えない。【０００６】
本発明は、上記に鑑みてなされたものであって、分岐後ポートの通常不使用の端子を活用した分岐コネクタを得ることを目的とする。
【課題を解決するための手段】
【０００７】
上述した課題を解決し、目的を達成するために、本発明は、通信ポート内の通常使用する端子と通常不使用の端子との両方を用いて第１チャンネル及び第２チャンネルの２ポート分の情報を送受信する二重通信機能を有する第１の分岐コネクタ対応通信機器に接続される分岐前ポートと、二重通信機能を有する第２の分岐コネクタ対応通信機器に接続される第１の分岐後ポートと、二重通信機能を有する第３の分岐コネクタ対応通信機器に接続される第２の分岐後ポートと、分岐前ポートの第１チャンネル用の端子と、第１の分岐後ポートの通常使用する端子とを接続する第１チャンネル配線と、分岐前ポートの第２チャンネル用の端子と、第２の分岐後ポートの通常使用する端子とを接続する第２チャンネル配線と、第１の分岐後ポートの通常不使用の端子と、第２の分岐後ポートの通常不使用の端子とを接続するリピート配線とを有することを特徴とする。
【発明の効果】
【０００８】
本発明にかかる分岐コネクタは、分岐後ポートの通常不使用の端子を活用できるという効果を奏する。
【図面の簡単な説明】
【０００９】
【図１】本発明の実施の形態１にかかる分岐コネクタの構成を示す図
【図２】実施の形態１にかかる分岐コネクタを適用したデイジーチェーン接続のシステムの構成を示す図
【図３】実施の形態１にかかる分岐コネクタを適用したデイジーチェーン接続のシステムにおいて通信機器に故障が発生した状態を示す図
【図４】本発明の実施の形態２にかかる分岐コネクタの構成を示す図
【図５】実施の形態２にかかる分岐コネクタを適用したデイジーチェーン接続のシステムの構成を示す図
【図６】実施の形態３にかかる分岐コネクタに適用される切替プラグの上面図
【図７】実施の形態３にかかる分岐コネクタに適用される切替プラグの側面図
【図８】実施の形態３にかかる分岐コネクタの分岐前ポート及び第１の分岐後ポートと第２の分岐後ポートとの接続状態を示す図
【図９】実施の形態３にかかる分岐コネクタの分岐前ポート及び第１の分岐後ポートと第２の分岐後ポートとの接続状態を示す図
【発明を実施するための形態】
【００１０】
以下に、本発明の実施の形態にかかる分岐コネクタを図面に基づいて詳細に説明する。なお、この実施の形態によりこの発明が限定されるものではない。
【００１１】
実施の形態１．
図１は、本発明の実施の形態１にかかる分岐コネクタの構成を示す図である。分岐コネクタ１０１は、第１の分岐コネクタ対応通信機器である分岐コネクタ対応通信機器１０２を第２の分岐コネクタ対応通信機器である分岐コネクタ対応通信機器１２０及び第３の分岐コネクタ対応通信機器である分岐コネクタ対応通信機器１２１と接続するコネクタである。ここで、分岐コネクタ対応通信機器とは、通信ポート内の通常使用する端子と通常不使用の端子との両方を用いて２ポート分の情報を送受信する二重通信機能を有する通信機器のことである。なお、通常使用する端子とは、通信に使用することが規格上で定められている端子であり、通常不使用の端子とは、規格上では通信に使用すると定められていない端子である。
【００１２】
分岐コネクタ１０１は、分岐コネクタ対応通信機器１０２に接続される分岐前ポート１０３と、分岐コネクタ対応通信機器１２０に通じるプラグ１０９に接続される第１の分岐後ポート１０７と、分岐コネクタ対応通信機器１２１に通じるプラグ１１０に接続される第２の分岐後ポート１０８と、分岐前ポート１０３及び第１の分岐後ポート１０７を接続する第１チャンネル配線１０４と、分岐前ポート１０３及び第２の分岐後ポート１０８を接続する第２チャンネル配線１０５と、第１の分岐後ポート１０７及び第２の分岐後ポート１０８を接続するリピート配線１０６とを有する。
【００１３】
プラグ１０９は、通信ケーブル１１１を通じて分岐コネクタ通信機器１２０に繋がっている。プラグ１１０は、通信ケーブル１１２を通じて分岐コネクタ対応通信機器１２１に繋がっている。プラグ１０９，１１０及び通信ケーブル１１１，１１２は、既存の一般的なものを適用可能である。
【００１４】
分岐コネクタ対応通信機器１０２は、分岐コネクタ１０１内での分岐において分岐元となる側の通信機器であり、ポート内の通常不使用の端子を使用することによって、１ポートで２ポート分の情報を送受信する機能を有する。
【００１５】
第１チャンネル配線１０４は、分岐前ポート１０３の第１チャンネル用の端子１０３ａと分岐後ポート１０７の第１チャンネル第１端子１０７ａ、第１チャンネル第２端子１０７ｂ、第１チャンネル第３端子１０７ｃ及び第１チャンネル第４端子１０７ｄとを接続する。第２チャンネル配線１０５は、分岐前ポート１０３の第２チャンネル用の端子１０３ｂと分岐後ポート１０８の第２チャンネル第１端子１０８ａ、第２チャンネル第２端子１０８ｂ、第２チャンネル第３端子１０８ｃ及び第２チャンネル第４端子１０８ｄとを接続する。第１の分岐後ポート１０７は、第１チャンネル配線１０４に接続される第１チャンネル第１端子１０７ａ、第１チャンネル第２端子１０７ｂ、第１チャンネル第３端子１０７ｃ及び第１チャンネル第４端子１０７ｄが通常使用される端子である。第２の分岐後ポート１０８は、第２チャンネル配線１０５に接続される第２チャンネル第１端子１０８ａ、第２チャンネル第２端子１０８ｂ、第２チャンネル第３端子１０８ｃ及び第２チャンネル第４端子１０８ｄが通常使用される端子である。
【００１６】
分岐コネクタ１０１は、分岐前ポート１０３の２ポート分の端子を通常の端子配列に戻して第１の分岐後ポート１０７及び第２の分岐後ポート１０８に接続している。すなわち、分岐前ポート１０３の第１チャンネル用の端子１０３ａは、第１チャンネル配線１０４により、第１の分岐後ポート１０７の通常使用する端子である第１チャンネル第１端子１０７ａ、第１チャンネル第２端子１０７ｂ、第１チャンネル第３端子１０７ｃ及び第１チャンネル第４端子１０７ｄに接続されている。また、分岐前ポート１０３の第２チャンネル用の端子１０３ｂは、第２チャンネル配線１０５により、第２の分岐後ポート１０８の通常使用する端子である第２チャンネル第１端子１０８ａ、第２チャンネル第２端子１０８ｂ、第２チャンネル第３端子１０８ｃ及び第２チャンネル第４端子１０８ｄに接続されている。したがって、第１の分岐後ポート１０７及び第２の分岐後ポート１０８では、通常不使用の端子を活用可能となっている。分岐コネクタ１０１は、これらの通常不使用の端子を用いて、リピート配線１０６により、第１の分岐後ポート１０７から第２の分岐後ポート１０８への通信経路を確立させている。
【００１７】
第１の分岐後ポート１０７及び第２の分岐後ポート１０８の端子のうち、第１の分岐後ポート１０７と第２の分岐後ポート１０８との通信経路確立用の端子をリピート端子と称する。すなわち、リピート配線１０６は、第１の分岐後ポート１０７のリピート第１端子１０７ｅ、リピート第２端子１０７ｆ、リピート第３端子１０７ｇ及びリピート第４端子１０７ｈと第２の分岐後ポート１０８のリピート第１端子１０８ｅ、リピート第２端子１０８ｆ、リピート第３端子１０８ｇ及びリピート第４端子１０８ｈとを接続している。第１の分岐後ポート１０７のリピート第１端子１０７ｄ、リピート第２端子１０７ｆ、リピート第３端子１０７ｇ及びリピート第４端子１０７ｈは、第２の分岐後ポート１０８のリピート第１端子１０８ｅ、リピート第２端子１０８ｆ、リピート第３端子１０８ｇ及びリピート第４端子１０８ｈにリピート配線１０６によって接続されている。
【００１８】
図２は、実施の形態１にかかる分岐コネクタを適用したデイジーチェーン接続のシステムの構成を示す図である。システム内の通信機器２０１，２０２，２０３，２０４は、通常不使用の端子を使用して１ポートで２ポート分の情報を送受信する機能を有する。換言すると、デイジーチェーンシステムに含まれる複数の通信機器２０１，２０２，２０３，２０４の各々は、分岐コネクタ１０１の分岐前ポート１０３と接続し、１ポートで２ポート分の情報を送受信する二重通信機能を有する分岐コネクタ対応通信機器である。システム中の通信機器２０１，２０２，２０３，２０４のうち、デイジーチェーンの終端に位置する通信機器２０１，２０４を除く通信機器２０２，２０３には、分岐コネクタ１０１１，１０１２の分岐前ポート１０３が接続されている。分岐コネクタ１０１１の第２の分岐後ポート１０８と分岐コネクタ１０１２の第１の分岐後ポート１０７とは、通信ケーブル２０８で接続されている。
【００１９】
分岐コネクタ１０１１，１０１２は、便宜上符号に下付数字を付して区別しているが、どちらも図１に示した分岐コネクタ１０１と同じ構造である。すなわち、分岐コネクタ１０１１に着目した場合、通信機器２０２が第１の分岐コネクタ対応通信機器であり、通信機器２０１，２０３の一方が第２の分岐コネクタ対応通信機器であり、通信機器２０１，２０３の他方が第３の分岐コネクタ対応通信機器である。同様に、分岐コネクタ１０１２に着目した場合、通信機器２０３が第１の分岐コネクタ対応通信機器であり、通信機器２０２，２０４の一方が第２の分岐コネクタ対応通信機器であり、通信機器２０２，２０４の他方が第３の分岐コネクタ対応通信機器である。
【００２０】
通信機器２０１は、通信ケーブル２０７が備える一般的なコネクタにより通信ケーブル２０７に接続される。通信ケーブル２０７は、回線２０７ａ及び回線２０７ｂの二つの回線を備えている。通信機器２０１は、通常使用する端子と通常不使用の端子との両方を用いることにより、回線２０７ａを通じて通信機器２０２と接続されるとともに、通信機器回線２０７ｂを通じて通信機器２０２，２０３を介さずに通信機器２０４と接続される。同様に、通信機器２０４は、通信ケーブル２０９が備える一般的なコネクタにより通信ケーブル２０９に接続される。通信ケーブル２０９は、回線２０９ａ及び回線２０９ｂの二つの回線を備えている。通信機器２０４は、通常使用する端子と通常不使用の端子との両方を用いることにより、回線２０９ａを通じて通信機器２０３と接続されるとともに、通信機器回線２０９ｂを通じて通信機器２０２，２０３を介さずに通信機器２０１と接続される。分岐コネクタ１０１１の第２の分岐後ポート１０８の通常使用する端子は、通信ケーブル２０８内の回線２０８ａによって分岐コネクタ１０１２の第１の分岐後ポート１０７の通常使用する端子に接続されている。分岐コネクタ１０１１の第２の分岐後ポート１０８の通常不使用の端子は、通信ケーブル２０８内の回線２０８ｂによって分岐コネクタ１０１２の第１の分岐後ポート１０７の通常不使用の端子に接続されている。なお、通信機器２０１と通信機器２０４とを通信機器２０２，２０３を介さずに接続する回線については後述する。
【００２１】
分岐コネクタ１０１１では、第１の分岐後ポート１０７の通常使用する端子が、第１チャンネル配線１０４で分岐前ポート１０３の端子と接続されており、第２の分岐後ポート１０８の通常使用する端子が、第２チャンネル配線で分岐前ポート１０３の端子と接続されている。したがって、通信機器２０１から回線２０７ａを通じて送られてきた情報及び通信機器２０３から回線２０８ａを通じて送られてきた情報は通信機器２０２に伝えられる。一方、第１の分岐後ポート１０７及び第２の分岐後ポート１０８のリピート端子で伝送される情報については、通信機器２０２で中継されずに、リピート配線１０６により第１の分岐後ポート１０７及び第２の分岐後ポート１０８間で授受される。
【００２２】
分岐コネクタ１０１２では、第１の分岐後ポート１０７の通常使用する端子が、第１チャンネル配線１０４で分岐前ポート１０３の端子と接続されており、第２の分岐後ポート１０８の通常使用する端子が、第２チャンネル配線で分岐前ポート１０３の端子と接続されている。したがって、通信機器２０２から回線２０８ａを通じて送られてきた情報及び通信機器２０４から回線２０９ａを通じて送られてきた情報は通信機器２０３に伝えられる。一方、第１の分岐後ポート１０７及び第２の分岐後ポート１０８のリピート端子で伝送される情報については、通信機器２０３で中継されずに、リピート配線１０６により第１の分岐後ポート１０７及び第２の分岐後ポート１０８間で授受される。
【００２３】
このように、通信ケーブル２０７の回線２０７ａと、通信ケーブル２０８の回線２０８ａと、通信ケーブル２０９の回線２０９ａとは、隣接する通信機器間でやりとりされる情報を伝送する回線を形成している。また、通信ケーブル２０７の回線２０７ｂと、通信ケーブル２０８の回線２０８ｂと、通信ケーブル２０９の回線２０９ｂとは、通信機器２０１と通信機器２０４とを通信機器２０２，２０３を介さずに接続する回線を形成している。
【００２４】
図３は、実施の形態１にかかる分岐コネクタを適用したデイジーチェーン接続のシステムにおいて通信機器に故障が発生した状態を示す図である。図３では、通信機器２０３に故障が発生したことを通信機器２０３に×印を付して表している。デイジーチェーン接続のシステム内の通信機器２０３に故障が発生し、通信継続が不可能になった場合、通信機器２０２と通信機器２０３との通信及び通信機器２０３と通信機器２０４との通信は遮断される。しかしながら、通信機器２０３に接続されている分岐コネクタ１０１２内のリピート配線１０６によって通信機器２０１と通信機器２０４との通信は確保される。したがって、通信機器２０３を除く通信機器２０１、通信機器２０２及び通信機器２０４の通信は継続される。
【００２５】
これに対し、従来の分岐コネクタでは、分岐前ポートに接続されている通信機器が故障した場合は、通常のデイジーチェーン接続のシステムと同様に、二つの分岐後ポートに接続される二つの通信機器間で通信を継続できなくなる。よって、従来の分岐コネクタを用いて通信機器をデイジーチェーン接続したシステムは、システム中の通信機器が故障すると、故障した通信機器を境界にしてシステムが分断されてしまう。
【００２６】
また、従来は、カテゴリ５ケーブルを用いたデイジーチェーン接続で構成されたシステムの終端局同士を直接接続させ、ループバックによる冗長化を可能にする方法がとられることもあったが、ループバック専用の回線をシステム内の全ての通信機器の内部に設ける必要があるため、通信機器の内部構造が複雑になるという問題があった。
【００２７】
実施の形態１にかかる分岐コネクタは、二つの分岐後ポートの通常不使用の端子同士をリピート配線で接続することで、分岐前ポートに接続された通信機器を経由しない通信経路を確立する。したがって、デイジーチェーン接続のシステムの終端局同士での直接的な通信回線を確立でき、ループバックによるシステムの冗長化を通信機器への機能付加無しに実現できる。
【００２８】
また、通信機器から独立した分岐コネクタが分岐後ポート同士を接続するリピート配線を備えるため、デイジーチェーン接続によるシステムを構成しない場合には、二重通信機能を有さない通信機器を用いることができ、通信機器についての設備投資のコストを低減できる。
【００２９】
このように、実施の形態１にかかる分岐コネクタは、第１の分岐後ポートの通常不使用の端子と、第２の分岐後ポートの通常不使用の端子とを接続するリピート配線とを有する。したがって、実施の形態１にかかる分岐コネクタを用いて通信機器をデイジーチェーン接続することにより、ループバック専用の回線を通信機器内部に設ける必要がなくなる。また、デイジーチェーン接続のシステムにおいて中間に位置する通信機器が故障しても、故障していない通信機器間では通信を継続可能である。
【００３０】
実施の形態２．
図４は、本発明の実施の形態２にかかる分岐コネクタの構成を示す図である。実施の形態２にかかる分岐コネクタ３０１は、第１の分岐後ポート３０６のリピート第１端子３０６ｅ、リピート第２端子３０６ｆ、リピート第３端子３０６ｇ及びリピート第４端子３０６ｈが、第２の分岐後ポート３０７の第２チャンネル第１端子３０７ａ、第２チャンネル第２端子３０７ｂ、第２チャンネル第３端子３０７ｃ及び第２チャンネル第４端子３０７ｄに接続される。分岐前ポート３０３及び第１チャンネル配線３０４は、実施の形態１にかかる分岐コネクタ１０１の分岐前ポート１０３及び第１チャンネル配線１０４と同様である。すなわち、第１チャンネル配線３０４は、分岐前ポート３０３の第１チャンネル用の端子３０３ａと第１の分岐後ポート３０６の第１チャンネル第１端子３０６ａ、第１チャンネル第２端子３０６ｂ、第１チャンネル第３端子３０６ｃ及び第１チャンネル第４端子３０６ｄとを接続する。
【００３１】
分岐前ポート３０３の第２チャンネル用の端子３０３ｂは、第１の分岐後ポート３０６及び第２の分岐後ポート３０７のいずれとも接続されていない。また、第２の分岐後ポート３０７は、リピート端子が設けられておらず、第２チャンネル第１端子３０７ａ、第２チャンネル第２端子３０７ｂ、第２チャンネル第３端子３０７ｃ及び第２チャンネル第４端子３０７ｄ以外の端子は、通常不使用の未使用端子となっている。
【００３２】
分岐前ポート３０３には、二重通信機能を有する分岐コネクタ対応通信機器３０２が接続される。
【００３３】
第１の分岐後ポート３０６には、プラグ３０８及び通信ケーブル３１０を介して分岐コネクタ対応通信機器３２０が接続される。
【００３４】
第２の分岐後ポート３０７には、プラグ３０９、通信ケーブル３１１及びプラグ３１２を介して二重通信機能を有さない通信機器の通信ポート３１３に接続される。二重通信機能を有さない通信機器の通信ポート３１３は、第１端子３１３ａ、第２端子３１３ｂ、第３端子３１３ｃ及び第４端子３１３ｄが通常使用する端子であり、第５端子３１３ｅ、第６端子３１３ｆ、第７端子３１３ｇ及び第８端子３１３ｈは、通常不使用の端子であり、未使用端子となっている。
【００３５】
分岐コネクタ３０１は、通常不使用の端子を使用して分岐コネクタ対応通信機器３２０から伝送されてきたデータを、通常使用される端子にリピート配線３０５を用いて割り当て直している。これにより、通常不使用の端子を使用する機能を有しない二重通信機能を有さない通信機器の通信ポート３１３を第２の分岐後ポート３０７に接続できる。
【００３６】
図５は、実施の形態２にかかる分岐コネクタを適用したデイジーチェーン接続のシステムの構成を示す図である。通信機器４０１，４０２，４０３，４０４は、通常不使用端子を使用して１ポートで２ポート分の情報を伝達する機能を有する。
【００３７】
システム中の通信機器４０１，４０２，４０３，４０４のうち、デイジーチェーンの終端に位置する通信機器４０１，４０４を除く通信機器４０２，４０３には、分岐コネクタ１０１３，１０１４の分岐前ポート１０３が接続されている。通信機器４０２，４０３に接続されている分岐コネクタ１０１３，１０１４は実施の形態１にかかる分岐コネクタ１０１と同じ構造である。分岐コネクタ１０１３の第２の分岐後ポート１０８と分岐コネクタ１０１４の第１の分岐後ポート１０７とは、通信ケーブル４１０で接続されている。
【００３８】
システム中の通信機器４０１，４０２，４０３，４０４のうち、デイジーチェーンの終端に位置する通信機器４０１，４０４には、分岐コネクタ３０１１，３０１２の分岐前ポート３０３が接続されている。通信機器４０１，４０４に接続されている分岐コネクタ３０１１，３０１２は分岐コネクタ３０１と同じ構造である。
【００３９】
分岐コネクタ３０１１の第１の分岐後ポート３０６と分岐コネクタ１０１３の第１の分岐後ポート１０７とは、通信ケーブル４０９で接続されている。分岐コネクタ３０１２の第１の分岐後ポート３０６と分岐コネクタ１０１４の第２の分岐後ポート１０８とは、通信ケーブル４１１で接続されている。
【００４０】
図５に示すように、実施の形態２にかかる分岐コネクタ３０１１，３０１２は、実施の形態１にかかる分岐コネクタ１０１３，１０１４によってデイジーチェーン接続されたシステムの終端に位置する通信機器４０１，４０４に接続されるものであり、分岐コネクタ３０１１，３０１２を単独で用いることはない。
【００４１】
分岐コネクタ３０１１に着目した場合、通信機器４０１が第１の分岐コネクタ対応通信機器であり、通信機器４０２が第２の分岐コネクタ対応通信機器である。同様に、分岐コネクタ３０１２に着目した場合、通信機器４０４が第１の分岐コネクタ対応通信機器であり、通信機器４０３が第２の分岐コネクタ対応通信機器である。
【００４２】
通信ケーブル４０９は、通信機器４０１と通信機器４０２の通信用の回線４０９ａと、通信機器４０２，４０３を介さずに通信機器４０１と通信機器４０４と接続するための回線４０９ｂとを備えている。同様に、通信ケーブル４１０は、通信機器４０２と通信機器４０３の通信用の回線４１０ａと、通信機器４０２，４０３を介さずに通信機器４０１と通信機器４０４と接続するための回線４１０ｂとを備えている。同様に、通信ケーブル４１１は、通信機器４０３と通信機器４０４の通信用の回線４１１ａと、通信機器４０２，４０３を介さずに通信機器４０１と通信機器４０４と接続するための回線４１１ｂとを備えている。
【００４３】
分岐コネクタ３０１１の第１の分岐後ポート３０６の通常使用する端子は、通信ケーブル４０９内の回線４０９ａによって分岐コネクタ１０１３の第１の分岐後ポート１０７の通常使用する端子に接続されている。分岐コネクタ３０１１の第１の分岐後ポート３０６の通常不使用の端子は、通信ケーブル４０９内の回線４０９ｂによって分岐コネクタ１０１３の第１の分岐後ポート１０７の通常不使用の端子に接続されている。
【００４４】
分岐コネクタ３０１２の第１の分岐後ポート３０６の通常使用する端子は、通信ケーブル４１１内の回線４１１ａによって分岐コネクタ１０１４の第２の分岐後ポート１０８の通常使用する端子に接続されている。分岐コネクタ３０１２の第１の分岐後ポート３０６の通常不使用の端子は、通信ケーブル４１１内の回線４１１ｂによって分岐コネクタ１０１４の第２の分岐後ポート１０８の通常不使用の端子に接続されている。
【００４５】
分岐コネクタ１０１３の第２の分岐後ポート１０８の通常使用する端子は、通信ケーブル４１０内の回線４１０ａによって分岐コネクタ１０１４の第１の分岐後ポート１０７の通常使用する端子に接続されている。分岐コネクタ１０１３の第２の分岐後ポート１０８の通常不使用の端子は、通信ケーブル４１０内の回線４１０ｂによって分岐コネクタ１０１４の第１の分岐後ポート１０７の通常不使用の端子に接続されている。
【００４６】
分岐コネクタ１０１３では、第１の分岐後ポート１０７の通常使用する端子は、第１チャンネル配線１０４で分岐前ポート１０３の端子と接続されており、第２の分岐後ポート１０８の通常使用する端子は、第２チャンネル配線１０５で分岐前ポート１０３の端子と接続されている。したがって、通信機器４０１から回線４０９ａを通じて送られてきた情報及び通信機器４０３から回線４１０ａを通じて送られてきた情報は通信機器４０２に伝えられる。一方、第１の分岐後ポート１０７及び第２の分岐後ポート１０８のリピート端子で伝送される情報については、通信機器４０２で中継されずに、リピート配線１０６により第１の分岐後ポート１０７及び第２の分岐後ポート１０８間で授受される。
【００４７】
分岐コネクタ１０１４では、第１の分岐後ポート１０７の通常使用する端子は、第１チャンネル配線１０４で分岐前ポート１０３の端子と接続されており、第２の分岐後ポート１０８の通常使用する端子は、第２チャンネル配線１０５で分岐前ポート１０３の端子と接続されている。したがって、通信機器４０２から回線４１０ａを通じて送られてきた情報及び通信機器４０４から回線４１１ａを通じて送られてきた情報は通信機器４０３に伝えられる。一方、第１の分岐後ポート１０７及び第２の分岐後ポート１０８のリピート端子で伝送される情報については、通信機器４０３で中継されずに、リピート配線１０６により第１の分岐後ポート１０７及び第２の分岐後ポート１０８間で授受される。
【００４８】
このように、通信ケーブル４０９の回線４０９ａと、通信ケーブル４１０の回線４１０ａと、通信ケーブル４１１の回線４１１ａとは、隣接する通信機器間でやりとりされる情報を伝送する回線を形成している。また、通信ケーブル４０９の回線４０９ｂと、通信ケーブル４１０の回線４１０ｂと、通信ケーブル４１１の回線４１１ｂとは、二重通信機能を有さない通信機器４１２と二重通信機能を有さない通信機器４１３とを直接接続する回線を形成している。
【００４９】
システムの終端に位置する通信機器４０１，４０４に分岐コネクタ３０１１，３０１２を接続することで、二重通信機能を有さない二重通信機能を有さない通信機器４１２，４１３を分岐コネクタ３０１１，３０１２の第２の分岐後ポート３０７に接続することができる。システムには、分岐コネクタ３０１１，１０１３，１０１４，３０１２内のリピート配線３０５，１０６を通じて二重通信機能を有さない通信機器４１２，４１３を直接接続する回線が構築される。
【００５０】
従来の分岐コネクタは、冗長化が目的であるために、システムに関係のない通信機器を接続し通信させることができず、システムの拡張性に欠ける。
【００５１】
一方、実施の形態２にかかる分岐コネクタは、デイジーチェーン接続のシステムの終端に位置する通信機器に接続することにより、システムの両端の通信機器に二重通信機能を有さない通信機器を接続し、二重通信機能を有さない通信機器の間に個別の回線を確立させることができる。これにより、デイジーチェーン接続で構成されたシステム上の終端局を二重通信機能を有さない通信機器とした場合に、システムの中間に配置される通信機器から影響を受けずに通信性能を確保することができる。
【００５２】
実施の形態３．
図６は、実施の形態３にかかる分岐コネクタに適用される切替プラグの上面図である。図７は、実施の形態３にかかる分岐コネクタに適用される切替プラグの側面図である。切替プラグ５０２は、分岐前ポートと第１の分岐後ポートとに接続される配線であるケーブル５０１と、第２の分岐後ポートに挿入される絶縁部５０３と、絶縁部５０３の上面５０３ａに配置された第１の端子５０４ａと、絶縁部５０３の下面５０３ｂに配置された第２の端子５０４ｂとを有する。すなわち、第１の端子５０４ａと第２の端子５０４ｂとは、背中合わせに配置されている。絶縁部５０３の上面５０３ａに配置されている第１の端子５０４ａと下面５０３ｂに配置されている第２の端子５０４ｂの数は同数であるが、分岐前ポート及び第１の分岐後ポートの端子との接続が異なっている。
【００５３】
第２の分岐後ポートに絶縁部５０３を挿入した際に、絶縁部５０３の上面５０３ａに配置された第１の端子５０４ａ又は下面５０３ｂに配置された第２の端子５０４ｂが第２の分岐後ポートの端子と接続される。したがって、絶縁部５０３をどの向きで第２の分岐後ポートに挿入したかによって、分岐前ポート及び第１の分岐後ポートと第２の分岐後ポートとの接続状態が切り替わる。ここで、第１の端子５０４ａが第２の分岐後ポートの端子と接触する向きを第１の向きとし、第２の端子５０４ｂが第２の分岐後ポートの端子と接触する向きを第２の向きとする。
【００５４】
ここで、絶縁部５０３の上面５０３ａ側の第１の端子５０４ａが第２の分岐後ポートの端子に接続された場合には、実施の形態１にかかる分岐コネクタ１０１と同様の接続状態となり、絶縁部５０３の下面５０３ｂ側の第２の端子５０４ｂが第２の分岐後ポートの端子に接続された場合には、実施の形態２にかかる分岐コネクタ３０１と同様の接続状態となるものとする。
【００５５】
図８は、実施の形態３にかかる分岐コネクタの分岐前ポート及び第１の分岐後ポートと第２の分岐後ポートとの接続状態を示す図である。図８は、絶縁部５０３の上面５０３ａ側の第１の端子５０４ａを第２の分岐後ポート６０３の端子に接続した状態を示している。実施の形態３にかかる分岐コネクタ６００の第１の分岐後ポート６０２の通常不使用の端子は、リピートチャネルとなって第２の分岐後ポート６０３の端子に接続される。絶縁部５０３の上面５０３ａ側の第１の端子５０４ａが第２の分岐後ポート６０３の端子に接続されるため、第１の分岐後ポート６０２のリピート端子は、第２の分岐後ポートのリピート端子に接続される。したがって、分岐コネクタ６００では、分岐前ポート６０１と第１の分岐後ポート６０２とは第１チャンネル配線で接続され、分岐前ポート６０１と第２の分岐後ポート６０３とは第２チャンネル配線で接続されている。また、第１の分岐後ポート６０２と第２の分岐後ポート６０３とはリピート配線で接続される。
【００５６】
図８に示す接続状態は、絶縁部５０３の上面５０３ａ側に配置された第１の端子５０４ａが第２の分岐後ポート６０３の端子に接続されて、分岐前ポート６０１及び第１の分岐後ポート６０２と第２の分岐後ポート６０３との接続状態は、第１の実施形態にかかる分岐コネクタ１０１と同様になっている。
【００５７】
図９は、実施の形態３にかかる分岐コネクタの分岐前ポート及び第１の分岐後ポートと第２の分岐後ポートとの接続状態を示す図である。図９は、絶縁部５０３の下面５０３ｂ側の第２の端子５０４ｂを第２の分岐後ポート６０３の端子に接続した状態を示している。分岐コネクタ６００の第１の分岐後ポート６０２の通常不使用の端子は、リピート端子となっている。絶縁部５０３の下面５０３ｂ側の第２の端子５０４ｂが第２の分岐後ポート６０３の端子に接続されるため、第１の分岐後ポート６０２のリピート端子は、第２の分岐後ポートの通常使用する端子に接続される。したがって、分岐前ポート６０１と第１の分岐後ポート６０２とは第１チャンネルで接続され、第１の分岐後ポート６０２と第２の分岐後ポート６０３とは、第１の分岐後ポート６０２では通常不使用の端子を用いて送受信される信号が、第２の分岐後ポート６０３では通常使用する端子を用いて送受信するように配列が変換されて接続される。
【００５８】
従来から、内部の端子同士の接続を変更するためにスライド部品を使用した分岐コネクタが知られているが、スライド部品による機械的な可動部分が存在する構造であるため、分岐コネクタが大きくなってしまっていた。
【００５９】
実施の形態３にかかる分岐コネクタは、デイジーチェーン接続で構成されたシステムの中間局に適用する場合と、終端局に適用する場合とで、分岐コネクタ内部の配線状態を変えることができる。配線状態の切替は、切替プラグの向きを変更することによって行えるため、スライドスイッチのような可動部を有する機構を設ける必要がない。従って、実施の形態３にかかる分岐コネクタは、可動部を設ける場合と比較して小型化が可能である。
【００６０】
なお、上記の説明においては、第１の端子５０４ａと第２の端子５０４ｂとが同数であるとしたが、第２の端子５０４ｂは、第２の分岐後ポート６０３の通常使用する端子に接続される分のみ設けても良い。この場合には、第１の端子５０４ａの数と第２の端子５０４ｂの数とが異なるため、切替プラグ５０２の上下を識別しやすくなり、意図とは異なる向きで切替プラグ５０２を第２の分岐後ポート６０３に挿入してしまうことを起こりにくくできる。
【００６１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６２】
１０１，１０１１，１０１２，１０１３，１０１４，３０１，３０１１，３０１２，３２０，６００  分岐コネクタ、１０２，３０２，１２０，１２１  分岐コネクタ対応通信機器、１０３，３０３，６０１  分岐前ポート、１０３ａ，３０３ａ  第１チャンネル用の端子、１０３ｂ，３０３ｂ  第２チャンネル用の端子、１０４，３０４  第１チャンネル配線、１０５  第２チャンネル配線、１０６，３０５  リピート配線、１０７，３０６，６０２  第１の分岐後ポート、１０７ａ，３０６ａ  第１チャンネル第１端子、１０７ｂ，３０６ｂ  第１チャンネル第２端子、１０７ｃ，３０６ｃ  第１チャンネル第３端子、１０７ｄ，３０６ｄ  第１チャンネル第４端子、１０７ｅ，１０８ｅ，３０６ｅ  リピート第１端子、１０７ｆ，１０８ｆ，３０６ｆ  リピート第２端子、１０７ｇ，１０８ｇ，３０６ｇ  リピート第３端子、１０７ｈ，１０８ｈ，３０６ｈ  リピート第４端子、１０８，３０７，６０３  第２の分岐後ポート、１０８ａ，３０７ａ  第２チャンネル第１端子、１０８ｂ，３０７ｂ  第２チャンネル第２端子、１０８ｃ，３０７ｃ  第２チャンネル第３端子、１０８ｄ，３０７ｄ  第２チャンネル第４端子、１０９，１１０，３０８，３０９，３１２  プラグ、１１１，１１２，２０７，２０８，２０９，３１０，３１１，４０９，４１０，４１１  通信ケーブル、２０１，２０２，２０３，２０４，４０１，４０２，４０３，４０４  通信機器、２０７ａ，２０７ｂ，２０８ａ，２０８ｂ，２０９ａ，２０９ｂ，４０９ａ，４０９ｂ，４１０ａ，４１０ｂ，４１１ａ，４１１ｂ  回線、３１３  通信ポート、３１３ａ  第１端子、３１３ｂ  第２端子、３１３ｃ  第３端子、３１３ｄ  第４端子、３１３ｅ  第５端子、３１３ｆ  第６端子、３１３ｇ  第７端子、３１３ｈ  第８端子、４１２，４１３  二重通信機能を有さない通信機器、５０１  ケーブル、５０２  切替プラグ、５０３  絶縁部、５０３ａ  上面、５０３ｂ  下面、５０４ａ  第１の端子、５０４ｂ  第２の端子。
【図１】
2016071994.tif 000003
【図２】
2016071994.tif 000004
【図３】
2016071994.tif 000005
【図４】
2016071994.tif 000006
【図５】
2016071994.tif 000007
【図６】
2016071994.tif 000008
【図７】
2016071994.tif 000009
【図８】
2016071994.tif 000010
【図９】
2016071994.tif 000011
【手続補正書】
【提出日】平成28年9月26日(2016.9.26)
【手続補正１】
【補正対象書類名】明細書
【補正対象項目名】００５５
【補正方法】変更
【補正の内容】
【００５５】
図８は、実施の形態３にかかる分岐コネクタの分岐前ポート及び第１の分岐後ポートと第２の分岐後ポートとの接続状態を示す図である。図８は、絶縁部５０３の上面５０３ａ側の第１の端子５０４ａを第２の分岐後ポート６０３の端子に接続した状態を示している。実施の形態３にかかる分岐コネクタ６００の第１の分岐後ポート６０２の通常不使用の端子は、リピートチャネルとなって第２の分岐後ポート６０３の端子に接続される。絶縁部５０３の上面５０３ａ側の第１の端子５０４ａが第２の分岐後ポート６０３の端子に接続されるため、第１の分岐後ポート６０２のリピート端子は、第２の分岐後ポート６０３のリピート端子に接続される。したがって、分岐コネクタ６００では、分岐前ポート６０１と第１の分岐後ポート６０２とは第１チャンネル配線で接続され、分岐前ポート６０１と第２の分岐後ポート６０３とは第２チャンネル配線で接続されている。また、第１の分岐後ポート６０２と第２の分岐後ポート６０３とは第１のリピート配線で接続される。
【手続補正２】
【補正対象書類名】明細書
【補正対象項目名】００５７
【補正方法】変更
【補正の内容】
【００５７】
図９は、実施の形態３にかかる分岐コネクタの分岐前ポート及び第１の分岐後ポートと第２の分岐後ポートとの接続状態を示す図である。図９は、絶縁部５０３の下面５０３ｂ側の第２の端子５０４ｂを第２の分岐後ポート６０３の端子に接続した状態を示している。分岐コネクタ６００の第１の分岐後ポート６０２の通常不使用の端子は、リピート端子となっている。絶縁部５０３の下面５０３ｂ側の第２の端子５０４ｂが第２の分岐後ポート６０３の端子に接続されるため、第１の分岐後ポート６０２のリピート端子は、第２の分岐後ポート６０３の通常使用する端子に接続される。したがって、分岐前ポート６０１と第１の分岐後ポート６０２とは第１チャンネル配線で接続され、第１の分岐後ポート６０２と第２の分岐後ポート６０３とは、第１の分岐後ポート６０２では通常不使用の端子を用いて送受信される信号が、第２の分岐後ポート６０３では通常使用する端子を用いて送受信するように配列が変換されて第２のリピート配線で接続される。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
通信ポート内の通常使用する端子と通常不使用の端子との両方を用いて第１チャンネル及び第２チャンネルの２ポート分の情報を送受信する二重通信機能を有する第１の分岐コネクタ対応通信機器に接続される分岐前ポートと、
前記二重通信機能を有する第２の分岐コネクタ対応通信機器に接続される第１の分岐後ポートと、
前記二重通信機能を有する第３の分岐コネクタ対応通信機器又は前記二重通信機能を有さない通信機器に接続される第２の分岐後ポートと、
前記分岐前ポート及び前記第１の分岐後ポートの端子に通じる配線を備え、前記第２の分岐後ポートに第１の向き又は第２の向きで装着可能な切替プラグとを有し、
前記配線は、前記切替プラグが前記第１の向きで前記第２の分岐後ポートに装着されると、前記分岐前ポートの前記第１チャンネル用の端子と前記第１の分岐後ポートの通常使用する端子とを接続する第１チャンネル配線と、前記分岐前ポートの前記第２チャンネル用の端子と前記第２の分岐後ポートの通常使用する端子とを接続する第２チャンネル配線と、前記第１の分岐後ポートの通常不使用の端子と前記第２の分岐後ポートの通常不使用の端子とを接続する第１のリピート配線とを形成し、
前記切替プラグが前記第２の向きで前記第２の分岐後ポートに装着されると、前記第１チャンネル配線と、前記第１の分岐後ポートの通常不使用の端子と前記第２の分岐後ポートの通常使用する端子とを接続する第２のリピート配線とを形成することを特徴とする分岐コネクタ。
【請求項２】
前記切替プラグは、該切替プラグを前記第１の向きで前記第２の分岐後ポートへ装着した時に前記第２の分岐後ポートの端子と導通する第１の端子と、前記切替プラグを前記第２の向きで前記第２の分岐後ポートへ装着した時に前記第２の分岐後ポートの端子と導通する第２の端子とを有し、
前記第１の端子と前記第２の端子とは背中合わせに配置されていることを特徴とする請求項１に記載の分岐コネクタ。
【手続補正２】
【補正対象書類名】明細書
【補正対象項目名】００１７
【補正方法】変更
【補正の内容】
【００１７】
第１の分岐後ポート１０７及び第２の分岐後ポート１０８の端子のうち、第１の分岐後ポート１０７と第２の分岐後ポート１０８との通信経路確立用の端子をリピート端子と称する。すなわち、リピート配線１０６は、第１の分岐後ポート１０７のリピート第１端子１０７ｅ、リピート第２端子１０７ｆ、リピート第３端子１０７ｇ及びリピート第４端子１０７ｈと第２の分岐後ポート１０８のリピート第１端子１０８ｅ、リピート第２端子１０８ｆ、リピート第３端子１０８ｇ及びリピート第４端子１０８ｈとを接続している。第１の分岐後ポート１０７のリピート第１端子１０７ｅ、リピート第２端子１０７ｆ、リピート第３端子１０７ｇ及びリピート第４端子１０７ｈは、第２の分岐後ポート１０８のリピート第１端子１０８ｅ、リピート第２端子１０８ｆ、リピート第３端子１０８ｇ及びリピート第４端子１０８ｈにリピート配線１０６によって接続されている。
【手続補正３】
【補正対象書類名】明細書
【補正対象項目名】００２１
【補正方法】変更
【補正の内容】
【００２１】
分岐コネクタ１０１１では、第１の分岐後ポート１０７の通常使用する端子が、第１チャンネル配線１０４で分岐前ポート１０３の端子と接続されており、第２の分岐後ポート１０８の通常使用する端子が、第２チャンネル配線１０５で分岐前ポート１０３の端子と接続されている。したがって、通信機器２０１から回線２０７ａを通じて送られてきた情報及び通信機器２０３から回線２０８ａを通じて送られてきた情報は通信機器２０２に伝えられる。一方、第１の分岐後ポート１０７及び第２の分岐後ポート１０８のリピート端子で伝送される情報については、通信機器２０２で中継されずに、リピート配線１０６により第１の分岐後ポート１０７及び第２の分岐後ポート１０８間で授受される。
【手続補正４】
【補正対象書類名】明細書
【補正対象項目名】００２２
【補正方法】変更
【補正の内容】
【００２２】
分岐コネクタ１０１２では、第１の分岐後ポート１０７の通常使用する端子が、第１チャンネル配線１０４で分岐前ポート１０３の端子と接続されており、第２の分岐後ポート１０８の通常使用する端子が、第２チャンネル配線１０５で分岐前ポート１０３の端子と接続されている。したがって、通信機器２０２から回線２０８ａを通じて送られてきた情報及び通信機器２０４から回線２０９ａを通じて送られてきた情報は通信機器２０３に伝えられる。一方、第１の分岐後ポート１０７及び第２の分岐後ポート１０８のリピート端子で伝送される情報については、通信機器２０３で中継されずに、リピート配線１０６により第１の分岐後ポート１０７及び第２の分岐後ポート１０８間で授受される。
【手続補正５】
【補正対象書類名】明細書
【補正対象項目名】００４９
【補正方法】変更
【補正の内容】
【００４９】
システムの終端に位置する通信機器４０１，４０４に分岐コネクタ３０１１，３０１２を接続することで、二重通信機能を有さない通信機器４１２，４１３を分岐コネクタ３０１１，３０１２の第２の分岐後ポート３０７に接続することができる。システムには、分岐コネクタ３０１１，１０１３，１０１４，３０１２内のリピート配線３０５，１０６を通じて二重通信機能を有さない通信機器４１２，４１３を直接接続する回線が構築される。
【国際調査報告】
2016071994.tif 000012
2016071994.tif 000013